【事件の表示】
　特願２００８−１５２２６２「印刷装置及びその制御方法並びにコンピュータ可読記憶媒体」拒絶査定不服審判事件〔平成２０年１１月２０日出願公開、特開２００８−２７９７７０〕について、次のとおり審決する。
【結　論】
　本件審判の請求は、成り立たない。
【理　由】
１　手続の経緯
　本願は、平成９年４月２８日に出願した特願平９−１１１５７２号の一部を平成２０年６月１０日に新たな特許出願としたものであって、平成２２年７月６日に手続補正がなされ、同年１０月１２日付けで拒絶査定がなされ、これに対し、平成２３年１月１４日に拒絶査定不服審判が請求され、当審において、同年５月１３日付けで拒絶の理由（以下「当審拒絶理由」という。）が通知され、同年７月１５日に手続補正がなされたものである。
　
２　本願発明
　本願の請求項１ないし７に係る発明は、平成２３年７月１５日付けの手続補正により補正された明細書、特許請求の範囲及び図面の記載からみて、その特許請求の範囲の請求項１ないし７に記載された事項によって特定されるとおりのものであると認められるところ、請求項１に係る発明（以下「本願発明」という。）は次のとおりである。
　
「ＷＷＷブラウザを有する情報処理装置と通信可能な印刷装置であって、
　前記情報処理装置から送信されるコードデータを受信する受信手段と、
　前記受信手段が受信したコードデータを画像データに展開する展開手段と、
　前記ＷＷＷブラウザを用いて前記情報処理装置に操作画面を表示するためのＨＴＭＬファイルを生成する生成手段と、
　前記生成手段が生成したＨＴＭＬファイルを、前記ＷＷＷブラウザからの要求に応じて前記情報処理装置に送信するＨＴＭＬファイル送信手段と、を備え、
　前記生成手段は、前記受信手段が複数ページ分のコードデータを受信した場合に、前記展開手段により展開された画像データに対してページ毎のファイル名を生成し、当該画像データのうちユーザが指定するページに対応する画像データを前記情報処理装置でプレビュー表示させるために、当該ページをユーザが指定可能な操作画面を表示するための前記生成したファイル名を含むＨＴＭＬファイルを生成することを特徴とする印刷装置。」
　
３　先願
　当審拒絶理由で引用された「本願の出願日前の他の特許出願であって、その出願後に出願公開がされた特願平８−３２４８４号（以下「先願」という。特開平９−２３１０２２号公報参照。）の願書に最初に添付した明細書又は図面（以下「先願明細書」という。）」には、次の事項が図面とともに記載されている（下線は審決で付した。以下同じ。）。
（１）「【請求項１】　印刷イメージの表示および印刷条件の指示を含む閲覧要求を送信する閲覧要求送信手段と、前記閲覧要求に応答して送信された閲覧応答データを受信する文書受信手段とを有し、前記受信した閲覧応答データを表示するとともに、前記表示した閲覧応答データの参照情報が指示された場合に該指示された参照情報に基づき閲覧要求を作成して送信する文書閲覧装置と、印刷用データを印刷する印刷装置とともに組み合わされて遠隔印刷システムを構成する文書蓄積装置において、
　前記文書閲覧装置から発行された前記閲覧要求を受信して要求内容を解析する閲覧要求受信・解析手段と、
　ページ単位で保持されている閲覧用データとページ単位で保持されている印刷用データとで構成されている電子文書を格納する文書格納手段と、
　前記閲覧要求に従い閲覧用データおよび印刷用データの該当するページを抽出する文書抽出手段と、
　前記閲覧要求に従って前後ページへの参照情報を生成し、前記文書抽出手段によって抽出された閲覧用データのページに前記参照情報を合成して
閲覧応答データを生成
　
生成された閲覧応答データを前記閲覧要求が発行された前記文書閲覧装置へ送信
する文書送信手段
　を備えることを特徴とする文書蓄積装置。
　　【請求項２】　前記文書抽出手段は、前記閲覧用データの抽出したページおよび印刷用データの全文または抽出したページを、前記閲覧要求に従って加工することを特徴とする請求項１記載の文書蓄積装置。
　　【請求項３】　前記文書格納手段は、アプリケーションソフトウェアが印刷処理時に発行した印刷コマンドを受け、前記印刷コマンドを所定の画像フォーマットでページ単位の閲覧用データおよび全文およびページ単位の印刷用データに加工し、ページ単位および全文の閲覧用および印刷用データを集めて所定の文書フォーマットで出力する電子文書作成手段を備えた電子文書作成装置によって作成された電子文書を蓄積することを特徴とする請求項１記載の文書蓄積装置。」
　
（２）「【０００１】
　　【発明の属する技術分野】
　本発明は遠隔印刷システムの文書蓄積装置に関し、特に文書閲覧装置からの閲覧要求に従って蓄積された文書を印刷前に利用者に提供し、文書閲覧装置では印刷イメージの表示（印刷プレビュー）に基づいた印刷条件の指定が可能な遠隔印刷システムの文書蓄積装置に関する。」
　
（３）「【０００２】
　　【従来の技術】
　近年、ネットワーク環境にて簡易文書を閲覧するシステムが普及しつつある。たとえば最近話題の「インターネット（Ｉｎｔｅｒｎｅｔ）」、「ワールド・ワイド・ウエブ（ＷＷＷ）」と呼称される情報閲覧環境がある。この閲覧システムでは、「ＷＷＷサーバ」と「ＷＷＷブラウザ」との間で「ＨＴＴＰ（ＨｙｐｅｒＴｅｘｔ  Ｔｒａｎｓｆｅｒ  Ｐｒｏｔｏｃｏｌ）」と呼ばれるプロトコルで、「ＨＴＭＬ（Ｈｙｐｅｒ  Ｔｅｘｔ  Ｍａｒｋｕｐ−Ｌａｎｇｕａｇｅ）」と呼ばれるデータフォーマットを交換する方式を採っている。
【０００３】
　このシステムは、ハイパーテキストのように、主に文字情報と既定フォーマットのイメージ情報とを、カード（ページの概念のない１枚のシート）単位として、マークアップ言語によるシンプルなフォーマットでデータ交換し、閲覧するシステムとして一般市場にも普及しつつある。なお、インターネットに関する技術については、ＩＳＢＮ４−９００７１８−１２−２「インターネットユーザーズガイド」に詳述されている。
【０００４】
　このインフラストラクチャ上で、社内、社外を問わず、電子文書を交換して閲覧し、さらには閲覧した文書を印刷するようなシステムを構築したいという利用者の要望が高まっている。
【０００５】
　　【発明が解決しようとする課題】
　しかし、上記のようなネットワーク環境を文書閲覧・印刷に利用する場合、次の問題点があり、満足なシステムが実現できない。すなわち、文書のフォーマットがテキストベースの簡単な文法である分、そのトレードオフとして、表現できる文書の種類に限界が出てくる。また、特定の文法で文書を作成するため、たとえば自分が使用しているワープロでそのまま文書を作成することができず、独特の文書作成技術が必要であったり、ＨＴＭＬという特定のフォーマットに変換または出力できる機能を持ったワープロを使用しなければならない。
【０００６】
　他方、文書交換を目的とする場合、個々の文書をそれぞれの場所でファイル転送プロトコルを利用して取得し、ワープロ文書のデータファイルとして交換する方式があるが、この方式も次の理由から、満足なシステムが実現できない。すなわち、ワープロデータは全ページを取得しなければならないので、たとえ先頭ページでも文書内容をすぐには閲覧することができず、ページ数の大きな文書を閲覧する場合には、特定のあるページのみを閲覧したくても、全ページ文書の転送に時間がかかるため、閲覧されるまでの応答性が悪い。しかも、利用者側で各種ワープロデータの閲覧に対応するには、それぞれのワープロなどのアプリケーションソフトウェアを用意しなければならないので、全ての閲覧者が閲覧に必要なアプリケーションソフトウェアを全て用意する前提は不可能である。
【０００７】
　また、これらの問題を改善するため、ファイルサーバ側で、利用者側の要求する文書フォーマットに変換して送信する方式も考えられるが、ワープロデータの変換に完全互換はあり得ないので、限られた範囲でしか変換することができず、必ずオリジナルとの食い違いが発生してしまう。しかも、ワープロデータのフォーマットは多数あり、バージョンアップも頻繁に繰り返されるため、全てのフォーマットにコンバートする方式は、本来は実現不可能である。したがって、一般には、よく利用される代表的なアプリケーションソフトウェアのフォーマット以外は交換できないのが現状である。
【０００８】
　さらに、閲覧したデータを印刷しようとする場合、閲覧の際に使用した文書が表現力に限界のある文書では、各種図表などを駆使し体裁を整えた、複数ページの高品質な印刷は難しく、高品質な文書を望むならば閲覧の際に時間の掛かるワープロ文書が必要になるという問題点がある。
【０００９】
　本発明はこのような点に鑑みてなされたものであり、利用者側からの閲覧・印刷対象の文書を特定のアプリケーションソフトウェアに依存しない文書とし、閲覧要求に対する転送情報の量を減らして応答性能を向上させることと、閲覧したページの高品質な遠隔印刷を可能にすることとを両立させた遠隔印刷システムにおける文書蓄積装置を提供することを目的とする。」
　
（４）「【００１０】
　　【課題を解決するための手段】
　図１は遠隔印刷システムの原理構成図である。
　この図において、遠隔印刷システムは文書閲覧装置１と、文書蓄積装置２と、印刷装置３と、これらを結合する通信経路４とから構成される。文書閲覧装置１は、入力手段１ａによって指示された閲覧要求を文書蓄積装置２へ送信する閲覧要求送信手段１ｂと、この閲覧要求に応答して送信されてきた文書を受信して表示手段１ｃへ出力する文書受信手段１ｄとを有している。文書蓄積装置２は、文書閲覧装置１から通信経路４を介して送信されてきた閲覧要求を受信して解析する閲覧要求受信・解析手段２ａと、ページ単位に分割された閲覧用画像データの集合および印刷用画像データが保持されている電子文書を格納しておく文書格納手段２ｂと、文書閲覧装置１から要求された文書格納手段２ｂ内の電子文書を指定された要求に従って閲覧用および印刷用画像データに加工する文書加工手段２ｃと、この文書加工手段２ｃで加工された閲覧用画像データに前後ページへの参照情報を付与して閲覧用応答データを生成する応答データ生成手段２ｄと、この応答データ生成手段２ｄにて生成された応答データを閲覧要求が発行された文書閲覧装置１へ送信し、文書加工手段２ｃにて加工された印刷用画像データを文書閲覧装置１から要求された指定印刷装置３に転送する文書送信手段２ｅとを有している。
【００１１】
　また、遠隔印刷システムは文書作成装置５を備え、この文書作成装置５は、紙媒体への印刷機能を持ったアプリケーションソフトウェア５ａが印刷処理時に発行した印刷制御コマンドを受けて所定の画像フォーマットでページ単位の閲覧用画像データおよびページ単位または文書全体の印刷用画像データに加工し、これらの画像データを集めて所定の文書フォーマットで出力する電子文書作成手段５ｂ（審決注：「５６」は「５ｂ」の明らかな誤記であるので訂正して摘記した。）を有している。
【００１２】
　上記構成の遠隔印刷システムによれば、まず、文書作成装置５において、アプリケーションソフトウェア５ａで作成した複数ページから成る文書を、電子文書作成手段５ｂでページ単位に分割された閲覧用画像データの集合および印刷用画像データで保持されるような電子文書に加工し、文書蓄積装置２に格納しておく。
【００１３】
　印刷プレビューを行うための基本的な閲覧機構は、まず、文書閲覧装置１が閲覧要求送信手段１ｂを通じて閲覧要求を発行する。すると、文書蓄積装置２の側では、閲覧要求受信・解析手段２ａが送信された閲覧要求を受信する。閲覧要求のあった電子文書が文書格納手段２ｂから取得され、文書加工手段２ｃにて、閲覧用画像データが閲覧要求の内容に応じたフォーマットに加工され、応答データ生成手段２ｄにて応答データを用意する。このとき、応答データ生成手段２ｄは文書閲覧装置１が閲覧要求送信手段１ｂで閲覧要求を発行する際に、電子文書の指定だけでなく、ページ指定を併せて発行するように、閲覧用画像データにあらかじめ参照情報を埋め込んだ応答データを生成する。このようにして生成された応答データは、文書送信手段２ｅより送信される。
通信経路４を通じて送信された応答データは、文書閲覧装置１の文書受信手段１ｄで受信され、表示手段１ｃへ送られて表示
【００１４】
　一方、閲覧した文書のページまたは閲覧した文書全体を印刷装置３で印刷する場合には、文書閲覧装置１から印刷指示を含む閲覧要求を発行する。文書蓄積装置２では、その閲覧要求を閲覧要求受信・解析手段２ａが受信し、文書加工手段２ｃが閲覧要求の内容に応じた印刷用画像データを用意し、文書送信手段２ｅによりその印刷用画像データを印刷装置３に送信する。印刷装置３は印刷用画像データを受信し、印刷を実行する。
【００１５】
　したがって、文書閲覧装置１からの閲覧要求に対する閲覧用の応答データは、ページ単位での画像情報となるので、１回の閲覧要求で通信経路４を介して送受される伝送データは高々１ページ分の画像データ量以下に抑えられ、ページ表示要求操作から実際のページが文書閲覧装置１の表示手段１ｃに表示されるまでの応答時間を短縮し、閲覧の応答効率を上げることができる。また、閲覧した文書に対して印刷要求を出すことにより、文書蓄積装置２は印刷用の画像データを用意してこれを指定の印刷装置３に転送するようにしたので、品質の高い印刷をすることができる。つまり、利用者は、実際の印刷を行う前に、文書蓄積装置２の文書のページ内容を高速にプレビューしながら確認することが可能になる。」
　
（５）「【００１６】
　　【発明の実施の形態】
　まず、本発明の概略について図面を参照して説明する。
　図１は遠隔印刷システムの原理構成図である。
【００１７】
　同図において、遠隔印刷システムは文書閲覧装置１と、文書蓄積装置２と、印刷装置３と、これらを結合する通信経路４とから構成され、さらに、文書蓄積装置２に蓄積される閲覧用の電子文書を作成するための文書作成装置５を備えている。
【００１８】
　文書閲覧装置１は、入力手段１ａによって入力・指示された閲覧要求を文書蓄積装置２へ送信する閲覧要求送信手段１ｂと、この閲覧要求に応答して文書蓄積装置２から送信されてきた応答データを受信して表示手段１ｃに出力する文書受信手段１ｄとを有している。また、文書蓄積装置２は、文書閲覧装置１から通信経路４を介して送信されてきた閲覧要求を受信してその閲覧要求の内容を解析する閲覧要求受信・解析手段２ａと、文書作成装置５によって作成されページ単位に分割された閲覧用画像データの集合および印刷用画像データが保持されている電子文書を格納しておく文書格納手段２ｂと、文書閲覧装置１から要求された文書格納手段２ｂ内の電子文書を指定された要求に従って閲覧用および印刷用画像データに加工する文書加工手段２ｃと、この文書加工手段２ｃで加工された閲覧用画像データに隣接ページを指定するための参照情報を付与して閲覧用の応答データを生成する応答データ生成手段２ｄと、この応答データ生成手段２ｄにて生成された閲覧用応答データを閲覧要求が発行された文書閲覧装置１へ送信したり、文書加工手段２ｃにて加工された印刷用画像データを文書閲覧装置１から要求された指定の印刷装置３に転送する文書送信手段２ｅとを有している。文書作成装置５は、紙媒体への印刷機能を持ったワープロなどのアプリケーションソフトウェア５ａと、このアプリケーションソフトウェア５ａが印刷処理時に発行した印刷制御コマンドを受けて所定の画像フォーマットでページ単位の閲覧用画像データおよびページ単位または文書全体の印刷用画像データに加工し、これらの画像データを集めて所定の文書フォーマットの電子文書にして文書蓄積装置２に出力する、疑似印刷機構を持った電子文書作成手段５ｂとを有している。
【００１９】
　上記構成の遠隔印刷システムによれば、まず、文書作成装置５において、アプリケーションソフトウェア５ａによって電子文書が作成される。このアプリケーションソフトウェア５ａは、ワープロソフト、表計算ソフト、作画ソフト、データベースソフトなどであり、厳密には、紙に印刷する機能を持ったソフトウェアである。アプリケーションソフトウェア５ａで作成された複数ページから成る文書は、電子文書作成手段５ｂに渡され、ここでページ単位の閲覧用画像データおよびページ単位または文書全体の印刷用画像データで保持された電子文書に加工される。加工された電子文書は、文書蓄積装置２に転送され、その文書格納手段２ｂに蓄積される。
【００２０】
　蓄積された電子文書を印刷するために閲覧するときは、まず、入力手段１ａを通じて入力された閲覧要求が文書閲覧装置１の閲覧要求送信手段１ｂにより通信経路４に送出される。送出された閲覧要求は文書蓄積装置２の閲覧要求受信・解析２ａにおいて受信され、要求内容が解析される。次いで、閲覧要求のあった電子文書が文書格納手段２ｂから取得され、文書加工手段２ｃにて、その電子文書は閲覧要求の内容に応じたページフォーマットに加工される。ここでは、たとえば指定されたページの抽出、指定された画像フォーマットへの変換などの加工が行われれる。その後、応答データ生成手段２ｄにて応答データが生成される。このとき、応答データ生成手段２ｄは文書閲覧装置１が閲覧要求送信手段１ｂで閲覧要求を発行する際に、電子文書の指定だけでなく、ページ指定を併せて発行できるように、閲覧用画像データのフォーマットにあらかじめ参照情報を埋め込んだ閲覧用応答データを生成する。このようにして生成された閲覧用応答データは、文書送信手段２ｅより送信される。通信経路４を通じて送信された閲覧用応答データは、文書閲覧装置１の文書受信手段１ｄにより受信され、表示手段１ｃに送られて表示されることになる。ここで、表示されているページデータの参照情報を入力手段１ａによって指示操作することにより、電子文書の指定とともにその参照情報にリンクされたページ番号を指定した閲覧要求が文書蓄積装置２に対して発行される。
【００２１】
　このようにして、文書閲覧装置１にて内容が確認された電子文書を印刷する場合には、文書閲覧装置１から印刷指示を含む閲覧要求を発行する。文書蓄積装置２では、その閲覧要求を閲覧要求受信・解析手段２ａが受信し、文書加工手段２ｃが閲覧要求の内容に応じた印刷用画像データを用意する。ここでは、印刷ページが指定されている場合は指定ページの印刷用画像データを電子文書から抽出し、その電子文書全体を印刷する場合は、文書全体の印刷用画像データを抽出する。印刷用画像データは、文書送信手段２ｅによりその印刷装置３へ送信される。印刷装置３はその印刷用画像データを受信し、印刷を実行する。
【００２２】
　したがって、本発明によれば、文書閲覧装置１からの閲覧要求に対する閲覧用応答データはページ単位の画像情報であるので、１回の閲覧要求で通信経路４を介して送受される転送画像データは多くても１ページ分なので、ページ表示要求操作から指定ページが文書閲覧装置１の表示手段１ｃで実際に表示されるまでの応答時間が短縮され、遠隔印刷システムにおける印刷プレビューの応答効率を上げることが可能になる。また、閲覧した文書に対して印刷要求を出すことにより、文書蓄積装置２は印刷用の高品質の画像データを用意してこれを指定の印刷装置３に転送するようにしたので、品質の高い印刷をすることができる。つまり、利用者は、実際の高品質な印刷を行う前に、文書蓄積装置２の文書のページ内容を低解像度の画像によって高速にプレビューし、内容を確認することが可能になる。
【００２３】
　また、一般に、閲覧用画像データに比べ、高品質印刷用画像データは、情報量・印刷処理の負荷が飛躍的に増加するが、実際の印刷処理（画像処理、データ転送など）は、各利用者の文書閲覧装置１を経由せず、文書蓄積装置２から印刷装置３へ直接渡すことができるので、負荷の高い処理を高性能マシンで構成される文書蓄積装置２および印刷装置３においてバックエンドで処理でき、文書閲覧装置１のような端末装置には負荷がかからない。」
　
（６）「【００２４】
　次に、本発明の実施の形態を、
ネットワーク上のサーバに格納された複数ページからなる文書を複数の利用者が閲覧することができるシステム
【００２５】
　図２は
サーバクライアントシステム
　図示のサーバクライアントシステムは、
ユーザの端末であるクライアント１０と、ファイルサーバ２０と、プリントサーバ３０と、これらを接続した
ネットワーク４０とによって構成され
クライアント１０は文書閲覧装置として機能するもので、ネットワーク上に複数存在
【００２６】
　
クライアント１０は閲覧要求送信部１１および文書受信部１２から構成され、閲覧要求送信部１１にはキーボードまたはマウスなどのポインティングデバイスからなる入力装置１３が接続され、文書受信部１２には表示装置１４が接続されている。また、閲覧要求送信部１１および文書受信部１２はそれぞれネットワーク４０に接続されて
【００２７】
　
ファイルサーバ２０は、ネットワーク４０に接続された閲覧要求受信部２１と、受信した閲覧要求を解析する閲覧対象判別部２２と、判別された閲覧対象を取得する文書取得部２３と、あらかじめ作成された電子文書を蓄積しておくファイル格納部２４と、取得された文書に対して閲覧対象判別部２２で解析された指定のフォーマットに加工する文書加工部２５と、閲覧対象判別部２２で解析されたページ情報を基に隣接ページの情報を生成する参照情報生成部２６と、文書加工部２５にて加工された文書データに参照情報生成部２６にて生成された参照情報を埋め込んだ応答データを作成する応答フォーマット合成部２７と、閲覧対象判別部２２で判別されたアドレス情報から応答データの送信先を判定する送信先判定部２８と、応答データを判定された送信先に送信する文書送信部２９とから構成され
閲覧対象判別部２２はさらに、閲覧要求から対象ファイルの所在情報を抽出する所在抽出部２２ａと、閲覧要求から要求した処理内容を指示した拡張部分を抽出する拡張部抽出部２２ｂとから構成されて
一般アプリケーションソフトウェア６１と擬似プリンタドライバ６２とから構成された文書作成部６０が備えられている
ファイルサーバ２０に搭載され
一般アプリケーションソフトウェア６１が動作する環境であれば、ネットワーク４０上の任意のクライアントに
【００２８】
　
プリントサーバ３０は、ネットワーク４０に接続されて転送された印刷用画像データを受ける印刷情報受信部３１を備えている。この印刷情報受信部３１は受けた印刷用画像データをプリンタ３２に出力するよう接続されて
【００２９】
　
クライアント１０は、
インターネットのＷＷＷサーバにアクセスできる文書閲覧ソフトウェア（ＷＷＷブラウザ）を搭載したパソコンまたはワークステーションである。このクライアント１０において、ユーザがそのソフトウェアを起動し、ＨＴＴＰ（Ｈｙｐｅｒ  Ｔｅｘｔ  ＴｒａｎｓｆｅｒＰｒｏｔｏｃｏｌ）、ＦＴＰ（Ｆｉｌｅ  Ｔｒａｎｓｆｅｒ  Ｐｒｏｔｏｃｏｌ）と呼ばれる指定のプロトコルでＵＲＬ（Ｕｎｉｆｏｒｍ  ＲｅｓｏｕｒｃｅＬｏｃａｔｏｒ）と呼ばれる所在識別名称をＷＷＷサーバとするファイルサーバ２０に送ると、
参照情報を操作することにより、再びファイルサーバに所在識別名称を送ることを繰り返して、インターネットに接続された数多くのファイルサーバの情報を閲覧・取得することができる
【００３０】
　
参照情報
表示用データの一部に含まれる
文字範囲または領域指定の情報と閲覧要求発行に必要な情報（本例では隣接ページ情報）とを備え
入力装置１３によって
特定の表示領域
に含まれた情報による閲覧要求が発行
【００３１】
　閲覧要求は、閲覧要求送信部１１と閲覧要求受信部２１とが解釈できる、通信プロトコルである。たとえば、ＷＷＷの場合、交換する内容はＵＲＬと呼ばれ、プロトコル種別、ＷＷＷサーバの名前（ネットワークアドレス）指定および閲覧したいファイルの所在指定を結合した文字列、たとえば、
「http://www.fx.co.jp/dir1/dir2/index.htm 」
を交換する。
【００３２】
　
ファイルサーバ２０は、インターネットでＷＷＷサーバと呼ばれる機構を指している文書蓄積装置であって、
Ｗｉｎｄｏｗｓ、ＷｉｎｄｏｗｓＮＴ（いずれも米国Ｍｉｃｒｏｓｏｆｔ社の登録商標）などのディレクトリ型ファイルシステムとネットワーク通信機能とを備えるオペレーティングシステムの上の常駐プログラムとして動作する
【００３３】
　ファクシミリ送信部５０は、クライアント１０にて印刷イメージを確認した文書をプリントサーバ３０に転送するのではなく、文書加工部２５でファクシミリ用のたとえば、Ｇ３規格のファクシミリの場合、ＭＭＲ（ｍｏｄｉｆｉｅｄ  ｍｏｄｉｆｉｅｄ  ｒｅａｄ）圧縮されたラスタイメージに変換された画像データを公衆回線４５を通じてファクシミリ受信機に送信する場合に使用される。
【００３４】
　ファイルサーバ２０内の文書作成部６０において、一般アプリケーションソフトウェア６１は、一般に市販されているアプリケーションソフトウェアの総称であり、紙に印刷するＧＤＩ（Ｇｒａｐｈｉｃ  Ｄｅｖｉｃｅ  Ｉｎｔｅｒｆａｃｅ）経由の印刷機能を持ったワープロ、エディタ、表計算、データベース、ドローイングなどの各種アプリケーションソフトウェアを対象とする。
【００３５】
　
疑似プリンタドライバ６２は、一般アプリケーションソフトウェア６１が印刷処理時に発行する印刷制御コマンドを受け取り、このコマンドをページ単位でまとめて１種類以上の画像データを作成し、この画像データをまとめてページレコードを構成し、ページを集めて後述する特定のフォーマットで出力する装置
一般アプリケーションソフトウェア６１が印刷処理で発行するＧＤＩコマンド（描画関数）をドライバインタフェースで受け取り、その情報からたとえば、ＰＤＬ（ページ記述言語）や一般的な画像フォーマット情報に変換し、通常のプリンタドライバがプリンタに送信する処理の代わりに、ファイル化し、電子文書としてファイル格納部２４に保存する機能を有する
この疑似プリンタドライバ６２は
【００３６】
　プリントサーバ３０は、ネットワーク４０を通じて送られてくる印刷コマンドを受信し、紙に印刷する機能を持った装置である。たとえば、プリントサーバ３０はプリンタ３２に接続したコンピュータを備え、このコンピュータが印刷情報受信部３１にて受信したＰＤＬファイルをスプールし、印刷キューに登録し、キューイングされたＰＤＬファイルを順番にプリンタ３２に送り込み、印刷を実行していくような装置である。」
　
（７）「【００３７】
　図３はクライアントの文書閲覧機能の動作を示すフローチャートである。
　
クライアント１０において、文書閲覧を行う場合、入力装置１３によって指示された座標を判定する（ステップＳ１）。入力指示に遠隔印刷の指示があるかどうかを判定し（ステップＳ２）、印刷指示がある場合は、ここで、プリントサーバアドレスを判定する（ステップＳ３）。この判定は、ＨＴＭＬの場合、＜Ｆｏｒｍ＞タグを用いて実現することができる。指示された座標や判定されたプリントサーバアドレスを基に閲覧要求を決定する（ステップＳ４）。次に、決定された閲覧要求を送信する処理をする（ステップＳ５）。この処理では、その閲覧要求は閲覧要求送信部１１に渡される
【００３８】
　一方、
文書受信部１２では閲覧要求に対する応答を受信すると、ページイメージ受信処理を
受信されたページイメージは表示装置１４に渡され、表示装置１４にて表示
【００３９】
　ここで、ステップＳ５の閲覧要求送信処理およびステップＳ６のページイメージ受信処理についてそれぞれの詳細を以下に示す。
　図４は閲覧要求送信処理の流れを示すフローチャートである。
【００４０】
　
閲覧要求送信部１１は、決定された閲覧要求から通信プロトコルを判定する（ステップＳ１１）。たとえば、閲覧要求（ＵＲＬ）が、
「http://www.fx.co.jp/A.mp?p1」
「http://www.fx.co.jp/A.mp?r-print@129.300.xxx.xxx」
とすれば、通信プロトコルは、「ｈｔｔｐ」であると判定
次に、閲覧要求から閲覧要求受信部２１のネットワークアドレスを判定する（ステップＳ１２）。上記の例では、閲覧要求に記述された相手先「ｗｗｗ．ｆｘ．ｃｏ．ｊｐ」からたとえば、「１２９．２４９．ｙｙｙ．ｙｙｙ」の如きネットワークアドレスを判定する
そして、指定のプロトコルで、指定のアドレスに閲覧要求を送信する
【００４１】
　図５はページイメージ受信処理の流れを示すフローチャートである。
　
文書受信部１２
受信待ち状態
文書イメージの受信があったかどうかが判断
あれば文書送信部２９から転送されたファイルを受信
　
（８）「【００４２】
　次に、ファイルサーバ２０の動作について説明する。
　図６はファイルサーバの動作を示すフローチャートである。
　
ファイルサーバ２０では、
閲覧要求受信部２１は閲覧要求受信待ちの状態になり（ステップＳ３１）、閲覧要求の受信があったかどうかが判定され
【００４３】
　
閲覧要求の受信があれば、プロトコル別処理の分岐が行われ（ステップＳ３３）、閲覧対象判別部２２における閲覧対象の判別処理（ステップＳ３４）に進
判別処理が終わると、閲覧対象のファイルは文書作成部６０
のフォーマットによる電子文書ファイルかどうかを判断
閲覧対象が
【００４４】
　次に、ステップＳ３４における閲覧対象の判別処理およびステップＳ３７の電子文書送信情報加工処理の詳細を以下に示す。
　図７は閲覧対象の判別処理の流れを示すフローチャートである。
【００４５】
　閲覧対象判別部２２における閲覧対象の判別処理では、まず、
所在抽出部２２ａが閲覧要求から所在情報を抽出
「http://www.fx.co.jp/A.mp?p1」
「http://www.fx.co.jp/A.mp?r-print@129.300.xxx.xxx」
とすれば、
所在情報として相手先を指定した記述以降の「Ａ．ｍｐ？ｐ１」
が抽出され
該当所在にファイルが格納されているかどうかがチェックされ
ファイルが格納されていれば、その格納ファイルは文書作成部６０のフォーマットによる電子文書かどうかが判断さ
文書作成部６０のフォーマットによる電子文書と判断されたならば、その格納ファイルは「電子文書」であると判別され
【００４６】
　図８は電子文書送信情報加工処理の流れを示すフローチャートである。
　
文書加工部２５では、
所在情報の拡張部分を拡張部抽出部２２ｂから取得
印刷プレビュー時の拡張部分「ｐ１」
次に、この拡張部分の内容によって処理が分岐
拡張部分が「ｐ１」であれば、これはページ指定を表す拡張部分であるので、指定ページイメージ抽出処理に進
次いで、参照情報生成部２６において前後ページへの参照情報を作成する処理をし（ステップＳ６１）、最後に、応答フォーマット合成部２７において、応答用のデータフォーマットに加工する（ステップＳ６２）
　
（９）「【００４７】
　次に、上記のステップＳ５３以降の各処理の詳細について説明するが、その前に
文書作成部６０にて作成され、ファイル格納部２４に格納されている電子文書
【００４８】
　図９は文書作成装置が出力する電子文書のデータフォーマットを示す図である。
　この図において、電子文書は、
プロファイル部７１と、ページ部７２と、文書データ部７３とから構成され
プロファイル部７１には、どのページにも共通した属性、たとえばインデックス情報、ページ数属性などが記述され
ページ部７２は各ページ単位のレコードで構成され
ページ部７２には複数の画像フォーマットによる画像データＰＤを複数格納することができ
ＰＤ１−ｘ，ＰＤ２−ｘ，ＰＤ３−ｘ（ｘは１，２，３・・・）は各ページの画像データレコードを示す。また、ＰＤｙ−ｚ（ｙはページ数、ｚは１，２，３・・・）で表されるｚは画像フォーマットの種類を示したもの
ペイント系ソフトウェア用イメージ
ＨＴＭＬで標準的なビットマップフォーマット
ページ部７２には、閲覧用の画像データ、ページ単位の印刷用画像データが上記に代表される標準フォーマットの中から選択されたフォーマットで格納される。
文書データ部７３には、全ページの印刷コマンドを含む印刷用画像データおよびこの電子文書を作成したアプリケーションソフトウェア指定のフォーマットによるデータファイルが文書レコードとして格納され
　
（１０）「【００４９】
　図１０は指定ページイメージ抽出処理の流れを示すフローチャートである。
　
指定ページイメージ抽出処理においては、拡張部抽出部２２ｂより抽出された拡張部分から閲覧要求ページの判別を行う（ステップＳ７１）
閲覧要求が「Ａ．ｍｐ？ｐ３」と
その拡張部分「？ｐ３」から閲覧要求ページは３ページ目と判別する
次に、閲覧対象の電子文書ファイル「Ａ．ｍｐ」をオープンし（ステップＳ７２）、その電子文書ファイルのプロファイル部のインデックス情報を読み込む（ステップＳ７３）。このインデックス情報を基に電子文書ファイルのページ部におけるページ３レコードを読み込み（ステップＳ７４）、閲覧用画像フォーマットの閲覧用画像データＰＤを読み込む（ステップＳ７５）
　
（１１）「【００５９】
　図１５は前後ページ参照情報作成処理の流れを示すフローチャートである。
　
参照情報生成部２６における前後ページ参照情報作成処理では、まず、拡張部抽出部２２ｂより抽出された拡張部分から閲覧要求ページの判別を行う（ステップＳ１３１）。次に、閲覧対象の電子文書ファイルをオープンし（ステップＳ１３２）
その電子文書ファイルのプロファイル部からページ数属性を読み込み、その電子文書ファイルの中に何ページ分のレコードがあるかを調べ
閲覧要求ページがｎであるとするならば、前ページ＝ｎ，後ページ＝ｎ＋１とす
中間のページならば、前ページ＝ｎ−１，後ページ＝ｎ＋１とする
【００６０】
　
その後、応答フォーマット合成部２７において、応答用のデータフォーマットに加工する処理を行う。この処理は閲覧用イメージファイルの指定および前後ページに対する参照情報からクライアントが解釈できる汎用的な交換フォーマットを作成する
【００６１】
　たとえば、文書加工部２５において、閲覧要求「Ａ．ｍｐ？ｐ３＋ＪＰＧ」に対して指定ページイメージ抽出処理が行われて、「Ａ．ＭＰ−ｐ３．ＪＰＧ」というビットマップフォーマットのページイメージの画像データが作成され、一方、
参照情報生成部２６では前ページ（ｎ＝２）、後ページ（ｎ＝４）が決定されて、それぞれ応答フォーマット合成部２７に入力され
入力された情報を基に
所定の汎用交換フォーマットを生成
【００６２】
　図１６は応答用データフォーマットの生成例を示す図である。
　図示の応答用データフォーマットは、
ＷＷＷのＨＴＭＬという文法で
テキストファイルで
タグ＜ＴＩＴＬＥ＞および＜／ＴＩＴＬＥ＞によって囲まれた文字列が、クライアント１０の表示装置１４における閲覧ウインドウのタイトル欄に表示されることを示
タグ＜ＢＯＤＹ＞および＜／ＢＯＤＹ＞で囲まれた部分が本文の記述であって、まず、閲覧要求に対して加工生成されたページイメージ、すなわち、指定文書ファイル「Ａ．ＭＰ」の３ページ目のビットマップフォーマットのイメージを表示させる
＜Ａ  ＨＲＥＦ＝”参照先”＞  表示文字列  ＜／Ａ＞
の形式で記述
文書閲覧装置で実行された場合、表示された「表示文字列」を指示することで参照内容「参照先」の参照が行われ
クライアント側では、「前ページ」という文字列を表示し、その文字列を入力装置１３で指示した場合には、文書ファイル「Ａ．ＭＰ」およびページ番号（２ページ目）を指定した閲覧要求が発行
「次ページ」という文字列が表示され、その文字列が入力装置１３で指示された場合には、文書ファイル「Ａ．ＭＰ」およびページ番号（４ページ目）を指定した閲覧要求が発行される
　
（１２）「【００６３】
　上記のような環境の実現に当たって、利用者側のクライアントの構成は、既に市場で流通している機構（＝ＷＷＷブラウザ）になんら修正を加えることなく、ファイルサーバ側を対応させるだけで、満足のいく印刷プレビューおよび文書印刷の環境を実現することができる。…略…。
【００６４】
　　【発明の効果】
　以上説明したように本発明では、文書蓄積装置は、一般アプリケーションソフトウェアで作成した複数ページから成る文書を格納する場合、ページ単位に分割された閲覧用画像データの集合および印刷用画像データが保持されている電子文書の形で格納するようにした。これにより、
印刷プレビューのために電子文書を閲覧する場合に、閲覧用画像データの送受はページ単位となり、ページの印刷プレビュー表示要求操作に対する応答を高速にすることができ
【００６５】
　また、一般に、高品質印刷用画像データは、低解像度の閲覧用画像データの場合に比べ、情報量および印刷処理の負荷が飛躍的に増加するが、実際の印刷処理では、印刷用画像データは各利用者の文書閲覧装置を経由しないで直接文書蓄積装置から印刷装置へ転送されるため、文書閲覧装置には負荷がかからない。
【００６６】
　さらに、文書加工手段は、印刷装置に転送する印刷情報として、閲覧文書の全ページはもちろん、特定のページ、ページ範囲を指定することができ、カラー・解像度・フォーマットなどの印刷品質を指定することができ、目的に応じたきめの細かい印刷設定が可能である。…略…。」
　
（１３）図１６には次のとおりの応答用データフォーマットの作成例が記載されている。
　
＜ＨＴＭＬ＞
＜ＨＥＡＤ＞
＜ＴＩＴＬＥ＞Ａ．ＭＰ　ｐａｇｅ　３＜／ＴＩＴＬＥ＞
＜／ＨＥＡＤ＞
＜ＢＯＤＹ＞
＜ｉｍｇ　ｓｒｃ＝”Ａ．ＭＰ−ｐ３．ＪＰＧ”＞
　
　＜Ａ　ＨＲＥＦ＝”Ａ．ＭＰ−ｐ２”＞　前ページ＜／Ａ＞
　＜Ａ　ＨＲＥＦ＝”Ａ．ＭＰ−ｐ４”＞　次ページ＜／Ａ＞
　
＜／ＢＯＤＹ＞
＜／ＨＴＭＬ＞
　
（１４）上記（１）ないし（１３）から、先願明細書には、次の発明（以下「先願発明」という。）が記載されているものと認められる。
　
「ユーザの端末であるクライアント１０と、ファイルサーバ２０と、プリントサーバ３０と、これらを接続したネットワーク４０とによって構成され、ネットワーク上のサーバに格納された複数ページからなる文書を複数の利用者が閲覧することができるサーバクライアントシステムであって、
　前記クライアント１０は、閲覧要求送信部１１及び文書受信部１２から構成され文書閲覧装置として機能するもので、前記ネットワーク４０上に複数存在し、
　前記閲覧要求送信部１１にはキーボードまたはマウスなどのポインティングデバイスからなる入力装置１３が接続され、
　前記文書受信部１２には表示装置１４が接続され、
　前記閲覧要求送信部１１及び前記文書受信部１２はそれぞれ前記ネットワーク４０に接続されており、
　前記ファイルサーバ２０は、Ｗｉｎｄｏｗｓ、ＷｉｎｄｏｗｓＮＴ（いずれも米国Ｍｉｃｒｏｓｏｆｔ社の登録商標）などのディレクトリ型ファイルシステムとネットワーク通信機能とを備えるオペレーティングシステムの上の常駐プログラムとして動作するものであって、前記ネットワーク４０に接続された閲覧要求受信部２１と、受信した閲覧要求を解析する閲覧対象判別部２２と、判別された閲覧対象を取得する文書取得部２３と、あらかじめ作成された電子文書を蓄積しておくファイル格納部２４と、取得された文書に対して前記閲覧対象判別部２２で解析された指定のフォーマットに加工する文書加工部２５と、前記閲覧対象判別部２２で解析されたページ情報を基に隣接ページの情報を生成する参照情報生成部２６と、前記文書加工部２５にて加工された文書データに前記参照情報生成部２６にて生成された参照情報を埋め込んだ応答データを作成する応答フォーマット合成部２７と、前記閲覧対象判別部２２で判別されたアドレス情報から応答データの送信先を判定する送信先判定部２８と、応答データを判定された送信先に送信する文書送信部２９とから構成され、
　前記閲覧対象判別部２２はさらに、閲覧要求から対象ファイルの所在情報を抽出する所在抽出部２２ａと、閲覧要求から要求した処理内容を指示した拡張部分を抽出する拡張部抽出部２２ｂとから構成されており、
　一般アプリケーションソフトウェア６１と擬似プリンタドライバ６２とから構成された文書作成部６０が、一般アプリケーションソフトウェア６１が動作する環境である前記ファイルサーバ２０及び前記クライアント１０の少なくともいずれかに搭載されており、
　前記疑似プリンタドライバ６２は、一般アプリケーションソフトウェア６１が印刷処理時に発行する印刷制御コマンドを受け取り、このコマンドをページ単位でまとめて１種類以上の画像データを作成し、この画像データをまとめてページレコードを構成し、ページを集めて後述する特定のフォーマットで出力する装置であり、一般アプリケーションソフトウェア６１が印刷処理で発行するＧＤＩコマンド（描画関数）をドライバインタフェースで受け取り、その情報からたとえば、ＰＤＬ（ページ記述言語）や一般的な画像フォーマット情報に変換し、通常のプリンタドライバがプリンタに送信する処理の代わりに、ファイル化し、電子文書として前記ファイル格納部２４に保存する機能を有しており、
　前記プリントサーバ３０は、前記ネットワーク４０に接続されて転送された印刷用画像データを受ける印刷情報受信部３１を備え、該印刷情報受信部３１は受けた印刷用画像データをプリンタ３２に出力するよう接続されており、
　前記クライアント１０は、インターネットのＷＷＷサーバにアクセスできる文書閲覧ソフトウェアであるＷＷＷブラウザを搭載したパソコンまたはワークステーションであり、
　前記文書作成部６０にて作成され、前記ファイル格納部２４に格納されている電子文書は、プロファイル部７１と、ページ部７２と、文書データ部７３とから構成され、前記プロファイル部７１には、どのページにも共通した属性、たとえばインデックス情報、ページ数属性などが記述され、前記ページ部７２は各ページ単位のレコードで構成され、例えば画像フォーマットがＨＴＭＬで標準的なビットマップフォーマットの複数ページ分の閲覧用の画像データレコード及び複数ページ分のページ単位の印刷用画像データなどの画像データの組を画像フォーマットの種類分格納することができるものであり、前記文書データ部７３には、全ページの印刷コマンドを含む印刷用画像データ及びこの電子文書を作成したアプリケーションソフトウェア指定のフォーマットによるデータファイルが文書レコードとして格納されているものであり、
　前記クライアント１０において文書閲覧を行う場合、ユーザが、前記クライアント１０において、前記ＷＷＷブラウザを起動し、ＨＴＴＰ（Ｈｙｐｅｒ  Ｔｅｘｔ  ＴｒａｎｓｆｅｒＰｒｏｔｏｃｏｌ）、ＦＴＰ（Ｆｉｌｅ  Ｔｒａｎｓｆｅｒ  Ｐｒｏｔｏｃｏｌ）と呼ばれる指定のプロトコルで、ＵＲＬ（Ｕｎｉｆｏｒｍ  ＲｅｓｏｕｒｃｅＬｏｃａｔｏｒ）と呼ばれる所在識別名称をＷＷＷサーバとする前記ファイルサーバ２０に送る指示を前記入力装置１３で入力すると、
　前記クライアント１０では、前記入力装置１３によって指示された座標を判定し、入力指示に遠隔印刷の指示があるかどうかを判定し、印刷指示がある場合は、ＨＴＭＬの＜Ｆｏｒｍ＞タグを用いてプリントサーバアドレスを判定し、指示された座標や判定されたプリントサーバアドレスを基に閲覧要求を決定し、次に、決定された閲覧要求を送信する処理を行って、その閲覧要求を閲覧要求送信部１１に渡し、
　ここで、決定された閲覧要求ＵＲＬが『http://www.fx.co.jp/A.mp?p3』とすると、前記閲覧要求送信部１１は、閲覧要求から通信プロトコルを『ｈｔｔｐ』であると判定し、次に、閲覧要求に記述された相手先『ｗｗｗ．ｆｘ．ｃｏ．ｊｐ』から、たとえば『１２９．２４９．ｙｙｙ．ｙｙｙ』の如き前記閲覧要求受信部２１のネットワークアドレスを判定し、そして、指定のプロトコルで、指定のアドレスに閲覧要求を送信し、
　前記ファイルサーバ２０では、閲覧要求受信待ちの状態である前記閲覧要求受信部２１が閲覧要求の受信があったかどうかが判定し、閲覧要求の受信があれば、プロトコル別処理の分岐を行い、前記閲覧対象判別部２２において、前記所在抽出部２２ａが、閲覧要求『http://www.fx.co.jp/A.mp?p3』から相手先を指定した記述『ｗｗｗ．ｆｘ．ｃｏ．ｊｐ』以降の『Ａ．ｍｐ』を所在情報として抽出し、該当所在『Ａ．ｍｐ』にファイル『Ａ．ｍｐ』が格納されているかどうかをチェックし、ファイル『Ａ．ｍｐ』が格納されていれば、その格納ファイルが前記文書作成部６０のフォーマットによる電子文書かどうかを判断し、前記文書作成部６０のフォーマットによる電子文書と判断されたならば、その格納ファイルは『電子文書』であると判別し、前記文書加工部２５において、前記所在情報の印刷プレビュー時の拡張部分『？ｐ３』を前記拡張部抽出部２２ｂから取得し、次に、この拡張部分の内容によって処理を分岐し、拡張部分『？ｐ３』はページ指定を表す拡張部分であるので、指定ページイメージ抽出処理に進み、該指定ページイメージ抽出処理において、前記拡張部抽出部２２ｂより抽出された拡張部分『？ｐ３』から閲覧要求ページは３ページ目と判別を行い、次に、閲覧対象の電子文書ファイル『Ａ．ｍｐ』をオープンし、その電子文書ファイルのプロファイル部のインデックス情報を読み込み、このインデックス情報を基に電子文書ファイルのページ部におけるページ３レコードの閲覧用画像フォーマットの３ページ目の閲覧用画像データを読み込み、また、前記参照情報生成部２６における前後ページ参照情報作成処理で、まず、前記拡張部抽出部２２ｂより抽出された拡張部分『？ｐ３』から閲覧要求ページは３ページ目と判別し、次に、閲覧対象の電子文書ファイルをオープンし、その電子文書ファイルの前記プロファイル部からページ数属性を読み込み、その電子文書ファイルの中に何ページ分のレコードがあるかを調べ、閲覧要求ページが３であるので、前ページ＝２，後ページ＝４を決定して、前記３ページ目の閲覧用画像データ及び決定された前ページ＝２，後ページ＝４の情報のそれぞれを前記応答フォーマット合成部２７に入力し、その後、前記応答フォーマット合成部２７において、入力された情報を基に、ＷＷＷのＨＴＭＬという文法で、前記クライアント１０の前記表示装置１４における閲覧ウインドウのタイトル欄に表示される文字列『Ａ．ＭＰ　ｐａｇｅ　３』をタグ＜ＴＩＴＬＥ＞及び＜／ＴＩＴＬＥ＞によって囲み、閲覧要求に対して加工生成されたページイメージ、すなわち、指定文書ファイル『Ａ．ＭＰ』の３ページ目のビットマップフォーマットのイメージを表示させることを示す『ｉｍｇ　ｓｒｃ＝”Ａ．ＭＰ−ｐ３．ＪＰＧ”』の記述と前記文書閲覧装置で表示された『表示文字列』をユーザが指示することでその参照内容『参照先』の参照が行われるように『表示文字列』及び『参照先』を＜Ａ　ＨＲＥＦ＝”参照先”＞　表示文字列　＜／Ａ＞の形式の記述とからなる本文の記述をタグ＜ＢＯＤＹ＞及び＜／ＢＯＤＹ＞で囲んだ、
＜ＨＴＭＬ＞
＜ＨＥＡＤ＞
＜ＴＩＴＬＥ＞Ａ．ＭＰ　ｐａｇｅ　３＜／ＴＩＴＬＥ＞
＜／ＨＥＡＤ＞
＜ＢＯＤＹ＞
＜ｉｍｇ　ｓｒｃ＝”Ａ．ＭＰ−ｐ３．ＪＰＧ”＞
　
　＜Ａ　ＨＲＥＦ＝”Ａ．ＭＰ−ｐ２”＞　前ページ＜／Ａ＞
　＜Ａ　ＨＲＥＦ＝”Ａ．ＭＰ−ｐ４”＞　次ページ＜／Ａ＞
　
＜／ＢＯＤＹ＞
＜／ＨＴＭＬ＞
のような所定の汎用交換フォーマットのテキストファイルを生成して、閲覧用イメージファイル『Ａ．ＭＰ−ｐ３．ＪＰＧ』の指定および前ページ＝２，後ページ＝４に対する参照情報から前記クライアント１０が解釈できる汎用的な交換フォーマットの閲覧応答データを生成し、
　前記文書送信部２９が、生成された前記閲覧応答データを前記閲覧要求が発行された前記文書閲覧装置へ前記ネットワーク４０を通じて送信し、
　前記クライアント１０では、受信待ち状態の前記文書受信部１２が文書イメージの受信があったかどうかを判断し、文書イメージの受信があれば前記文書送信部２９から前記ネットワーク４０を通じて転送された前記閲覧要求に対する前記閲覧応答データのファイルを受信し、ページイメージ受信処理を行って、受信されたページイメージを前記表示装置１４に渡し、前記表示装置１４にて前記閲覧応答データが含む『Ａ．ＭＰ−ｐ３．ＪＰＧ』のページイメージや『前ページ』及び『次ページ』という文字列を表示させ、
　ユーザが、前記表示装置１４に表示された前記閲覧応答データの表示用データの一部に含まれる文字範囲または領域指定の情報と閲覧要求発行に必要な隣接ページ情報とを備えた参照情報のうち、例えば『前ページ』という文字列を前記入力装置１３によって操作指示することにより、その指示された特定の表示領域に含まれた情報による所在識別名称ＵＲＬを含む文書ファイル『Ａ．ＭＰ』及びページ番号（２ページ目）を指定した閲覧要求が発行され、また、『次ページ』という文字列が入力装置１３で指示された場合には、文書ファイル『Ａ．ＭＰ』及びページ番号（４ページ目）を指定した閲覧要求が発行されるようになして、
印刷プレビューのために電子文書を閲覧する場合に、閲覧用画像データの送受はページ単位となり、ページの印刷プレビュー表示要求操作に対する応答を高速にすることができた
　
４　対比・判断
　本願発明と先願発明とを対比する。
（１）先願発明の「ＷＷＷブラウザ」、「『クライアント１０』及び『一般アプリケーションソフトウェア６１』」、「インターネットのＷＷＷサーバにアクセスできる文書閲覧ソフトウェアであるＷＷＷブラウザを搭載したパソコンまたはワークステーションであるクライアント１０」、「『ファイルサーバ２』、『プリントサーバ３０』及び『擬似プリンタドライバ６２』」、「『クライアント１０』と『ネットワーク４０』で『接続』された、『ファイルサーバ２０』」、「印刷制御コマンド」、「『印刷制御コマンドを受け取』る手段」、「一般アプリケーションソフトウェア６１が印刷処理時に発行する印刷制御コマンド」、「『一般アプリケーションソフトウェア６１が印刷処理時に発行する印刷制御コマンドを受け取』る手段」、「『画像データを作成』する手段」、「『コマンドをページ単位でまとめて１種類以上の画像データを作成』する手段」、「『一般アプリケーションソフトウェア６１が印刷処理時に発行する印刷制御コマンドを受け取り、このコマンドをページ単位でまとめて１種類以上の画像データを作成』する『疑似プリンタドライバ６２』」、「『例えば“前ページ”という文字列を前記入力装置１３によって操作指示すること』ができる『文字範囲または領域指定の情報と閲覧要求発行に必要な隣接ページ情報とを備えた参照情報』を『一部に含』む『前記表示装置１４に表示された前記閲覧応答データの表示用データ』」、「『表示装置１４』にて『“前ページ”及び“次ページ”という文字列を表示』」、「『ＷＷＷのＨＴＭＬという文法』で、記述して、生成した『所定の汎用交換フォーマットのテキストファイル』」、「応答フォーマット合成部２７」、「『所定の汎用交換フォーマットのテキストファイルを生成して、閲覧用イメージファイル『Ａ．ＭＰ−ｐ３．ＪＰＧ』の指定および前ページ＝２，後ページ＝４に対する参照情報から前記クライアント１０が解釈できる汎用的な交換フォーマットの閲覧応答データを生成』する『応答フォーマット合成部２７』」、
「＜ＨＴＭＬ＞
＜ＨＥＡＤ＞
＜ＴＩＴＬＥ＞Ａ．ＭＰ　ｐａｇｅ　３＜／ＴＩＴＬＥ＞
＜／ＨＥＡＤ＞
＜ＢＯＤＹ＞
＜ｉｍｇ　ｓｒｃ＝”Ａ．ＭＰ−ｐ３．ＪＰＧ”＞
　
　＜Ａ　ＨＲＥＦ＝”Ａ．ＭＰ−ｐ２”＞　前ページ＜／Ａ＞
　＜Ａ　ＨＲＥＦ＝”Ａ．ＭＰ−ｐ４”＞　次ページ＜／Ａ＞
　
＜／ＢＯＤＹ＞
＜／ＨＴＭＬ＞
のような所定の汎用交換フォーマットのテキストファイル」、
「『前記クライアント１０』が、『決定』し『送信する処理』を行って、『閲覧要求送信部１１に渡』し『閲覧要求送信部１１』が『前記閲覧要求受信部２１のネットワークアドレスを判定し、そして、指定のプロトコルで、指定のアドレスに閲覧要求を送信』された、例えば閲覧要求ＵＲＬが『http://www.fx.co.jp/A.mp?p3』である『決定された閲覧要求』」、「文書送信部２９」、「『応答フォーマット合成部２７』が『生成』した『ＷＷＷのＨＴＭＬという文法』で記述した『汎用交換フォーマットのテキストファイル』を、『前記閲覧要求が発行された前記文書閲覧装置』へ『送信』する『文書送信部２９』」、「『一般アプリケーションソフトウェア６１』の『印刷処理時に発行する印刷制御コマンド』であって、『疑似プリンタドライバ６２』において『ページ単位でまとめて１種類以上の画像データ』が作成されるもの」、「『疑似プリンタドライバ６２』が受け取った『印刷制御コマンド』から作成した『ページ単位でまとめて１種類以上の画像データ』であって、『一般的な画像フォーマット情報に変換し、通常のプリンタドライバがプリンタに送信する処理の代わりに、ファイル化し、電子文書として前記ファイル格納部２４に保存』した『画像データ』」、「『Ａ．ＭＰ−ｐ３』、『Ａ．ＭＰ−ｐ２』あるいは『Ａ．ＭＰ−ｐ４』」、「ユーザ」、「『閲覧要求“http://www.fx.co.jp/A.mp?p3”の“３ページ目”』、『ユーザが“前ページ”という文字列を前記入力装置１３によって操作指示した場合の“２ページ目”』あるいは『ユーザが“次ページ”という文字列を前記入力装置１３によって操作指示した場合の“４ページ目”』」、「『前記表示装置１４にて前記閲覧応答データが含む“Ａ．ＭＰ−ｐ３．ＪＰＧ”のページイメージを表示させる』あるいは『
印刷プレビュー
　
（２）先願発明において、「ページ毎のファイル名」は、「Ａ．ＭＰ−ｐ３」、「Ａ．ＭＰ−ｐ２」、「Ａ．ＭＰ−ｐ４」などであり、疑似プリンタドライバ６２が受け取った印刷制御コマンドから作成したページ単位でまとめて１種類以上の画像データに対して、応答フォーマット合成部２７において、ＷＷＷのＨＴＭＬという文法で、所定の汎用交換フォーマットのテキストファイルを生成する際に、閲覧要求に対して加工生成されたページイメージを表示させることを示すため、あるいはユーザが指示する「表示文字列」の「参照先」を示すために、ページ単位で生成されているから、先願発明の「生成手段（応答フォーマット合成部２７）」と本願発明の「生成手段」とは「前記受信手段が複数ページ分のコードデータを受信した場合に、前記展開手段により展開された画像データに対してページ毎のファイル名を生成」する点で一致する。
　
（３）先願発明の「前記生成手段が生成したＨＴＭＬファイル」は、
「＜ＨＴＭＬ＞
＜ＨＥＡＤ＞
＜ＴＩＴＬＥ＞Ａ．ＭＰ　ｐａｇｅ　３＜／ＴＩＴＬＥ＞
＜／ＨＥＡＤ＞
＜ＢＯＤＹ＞
＜ｉｍｇ　ｓｒｃ＝”Ａ．ＭＰ−ｐ３．ＪＰＧ”＞
　
　＜Ａ　ＨＲＥＦ＝”Ａ．ＭＰ−ｐ２”＞　前ページ＜／Ａ＞
　＜Ａ　ＨＲＥＦ＝”Ａ．ＭＰ−ｐ４”＞　次ページ＜／Ａ＞
　
＜／ＢＯＤＹ＞
＜／ＨＴＭＬ＞
のような所定の汎用交換フォーマットのテキストファイル」であるから、「Ａ．ＭＰ−ｐ３」、「Ａ．ＭＰ−ｐ２」及び「Ａ．ＭＰ−ｐ４」である「ページ毎のファイル名」を含んでいる。
　したがって、先願発明の「生成手段（応答フォーマット合成部２７）」と本願発明の「生成手段」とは、「当該画像データのうちユーザが指定するページに対応する画像データを前記情報処理装置でプレビュー表示させるために、当該ページをユーザが指定可能な操作画面を表示するための前記生成したファイル名を含むＨＴＭＬファイルを生成する」点で一致する。
　
（４）上記（１）ないし（３）から、本願発明と先願発明とは、
「ＷＷＷブラウザを有する情報処理装置と通信可能な印刷装置であって、
　前記情報処理装置から送信されるコードデータを受信する受信手段と、
　前記受信手段が受信したコードデータを画像データに展開する展開手段と、
　前記ＷＷＷブラウザを用いて前記情報処理装置に操作画面を表示するためのＨＴＭＬファイルを生成する生成手段と、
　前記生成手段が生成したＨＴＭＬファイルを、前記ＷＷＷブラウザからの要求に応じて前記情報処理装置に送信するＨＴＭＬファイル送信手段と、を備え、
　前記生成手段は、前記受信手段が複数ページ分のコードデータを受信した場合に、前記展開手段により展開された画像データに対してページ毎のファイル名を生成し、当該画像データのうちユーザが指定するページに対応する画像データを前記情報処理装置でプレビュー表示させるために、当該ページをユーザが指定可能な操作画面を表示するための前記生成したファイル名を含むＨＴＭＬファイルを生成する印刷装置。」の点で一致し、相違するところはないから、両発明は同一である。
　したがって、本願発明は、先願明細書に記載された発明と同一である。
　
５　むすび
　本願発明は、上記４のとおり、先願明細書に記載された発明と同一であり、しかも、本願発明の発明者が上記先願明細書に記載された発明の発明者と同一であるとも、また、本願の出願時に、その出願人が先願の出願人と同一であるとも認められないので、本願発明は、特許法２９条の２の規定により特許を受けることができない。
　よって、結論のとおり審決する。